(57)【要約】電気機械式ロックは、第１構造に取り付けられるようになっているラッチング組立体（２０）と、第２構造に取り付けられるようになっている受止め部品（９０）とを含み、ラッチング組立体と受止め部品を、受止め部品がラッチング組立体において受入れ状態で合体されるように、位置決めすることができる。ラッチング組立体は少なくとも１つの掛け金要素（６０）を含み、掛け金要素は、これが受止め部品と機械的に係合する捕捉状態と、受止め部品を掛け外す解除状態との間で可動である。ラッチング組立体はさらに着装部材（２３）を含み、着装部材は、第１位置にあるときには掛け金要素と係合し、掛け金要素を解除状態に維持する。ラッチング組立体はまた、着装部材と結合した偏向要素（８４）を含み、これは着装部材を第１位置へ駆りたてる働きをする。
2004533565.tif 000002
【特許請求の範囲】
【請求項１】
選択的に、第１状態にあるときには第１および第２構造が互いに離れるように移動することを可能にし、第２状態にあるときには前記第１および第２構造が互いに離れるように移動することを防ぐようになっている電気機械式ロックであって、
（ａ）前記第１構造に取り付けられるようになっているラッチング組立体と、
（ｂ）前記第２構造に取り付けられるようになっている受止め部品であって、前記ラッチング組立体と前記受止め部品は、前記受止め部品が前記ラッチング組立体に受入れ状態で合体されるように、位置決め可能である、前記受止め部品であって、前記ラッチング組立体は、
（１）前記受止め部品と機械的に係合する捕捉状態と、前記受止め部品を掛け外す解除状態との間で可動である、少なくとも１つの掛け金要素と、
（２）第１位置と第２位置の間で可動である着装部材であって、
（ｉ）前記着装部材は、前記第１位置にあるときには前記掛け金要素と係合し、これによって前記掛け金要素は前記解除状態にあり、
（ｉｉ）前記着装部材は、前記第２位置にあるときには前記掛け金要素が前記捕捉状態に移動できるようにする、着装部材と、
（３）前記着装部材と結合して、前記着装部材を第１力によって前記第１位置へ駆りたてる働きをする偏向要素とを含む受止め部品と、
（ｃ）「オン」条件と「オフ」条件との間で切替え可能な電磁装置であって、こうして前記受止め部品が前記受入れ状態にあって前記電磁装置が「オン」条件にあるときには、前記電磁装置は、前記第１力に打ち勝つための十分な磁気力によって前記着装部材と前記受止め部品を磁気的に共に係合させる働きをし、これによって前記受止め部品は動いて前記受入れ状態から離れ、結果的に前記掛け金要素は前記捕捉状態へ動く、電磁装置とを備えた電気機械式ロック。
【請求項２】
基部とカバーとを含むハウジングを含み、前記基部は基部壁と側壁とを含み、前記基部と前記カバーは、前記受止め部品を中に受け入れるように寸法決めされた入口通路を有する内部領域を画定するために互いに固定可能であり、前記ラッチング組立体は前記ハウジングの中に配置されている、請求項１に記載の電気機械式ロック。
【請求項３】
前記掛け金要素が前記ハウジングに対してピボット旋回するように取り付けられている、請求項２に記載の電気機械式ロック。
【請求項４】
前記掛け金要素が一対の相反して突き出たトラニオンを含み、前記基部壁と前記カバーは互いに離隔して対向する関係にあり、前記基部壁と前記カバーは各々、前記トラニオンを回転可能に取り付けるシートを備えている、請求項３に記載の電気機械式ロック。
【請求項５】
前記受止め部品が、前記捕捉状態にあるときには前記掛け金要素によって係合されるように動作するリップ部分を含む電気子プレートとして形成される、請求項１に記載の電気機械式ロック。
【請求項６】
前記電磁装置が前記着装部材に固定されている、請求項１に記載の電気機械式ロック。
【請求項７】
前記着装部材の一部分が導電性コイルのためのコアを形成する、請求項６に記載の電気機械式ロック。
【請求項８】
前記電磁装置が前記受止め部品に固定されている、請求項１に記載の電気機械式ロック。
【請求項９】
前記掛け金要素が前記捕捉状態の方へ偏向される、請求項１に記載の電気機械式ロック。
【請求項１０】
前記掛け金要素が、解除状態と捕捉状態との間で前記掛け金要素を動かすように作用するカム表面を有するつめとして形成された、請求項９に記載の電気機械式ロック。
【請求項１１】
前記カム表面が前記掛け金要素上の傾斜平面部分によって形成され、前記着装部材が、前記着装部材が前記第１位置と第２位置の間を移動するときに前記掛け金要素が前記解除状態と前記捕捉状態の間を移動できるようにするために前記傾斜平面に沿って滑る部分を含む、請求項１０に記載の電気機械式ロック。
【請求項１２】
前記掛け金要素が、溝孔開口部を有するつめとして形成され、前記着装部材は、前記溝孔開口部に受け入れられる部分を含むことができ、この部分は、前記着装部材が前記第１位置と第２位置の間を移動するときに前記掛け金要素が前記解除状態と前記捕捉状態の間を移動できるように作用する、請求項１に記載の電気機械式ロック。
【請求項１３】
前記着装部材が前記第１位置に向かってばね偏向される、請求項１に記載の電気機械式ロック。
【請求項１４】
選択的に、第１状態にあるときには第１および第２構造が互いに離れるように移動することを可能にし、第２状態にあるときには前記第１および第２構造が互いに離れるように移動することを防ぐようになっている電気機械式ロックであって、
（ａ）入口通路のある内部を有し、前記第１構造の上に取り付けられるようになっているハウジングと、
（ｂ）前記ハウジングの前記内部に配置されたラッチング組立体であって、
（１）各々が捕捉状態と解除状態との間で可動である一対の対向する掛け金要素と、
（２）各々が前記掛け金要素のそれぞれ１つを前記捕捉状態へ偏向させるように働く一対のばね要素と、
（３）第１位置と第２位置との間で可動の着装部材であって、
（ｉ）前記着装部材は一対のピンを含み、各ピンは、前記着装部材が前記第１位置にあるときには前記掛け金要素のそれぞれ１つに係合する働きをして、これによって前記掛け金要素は解除状態にあり、
（ｉｉ）各前記ピンは、前記着装部材が第２位置にあるときには、そのそれぞれの前記掛け金要素が前記捕捉状態に移動できるようにする、着装部材と
（４）前記着装部材と結合して、前記着装部材を第１力によって前記第１位置へ駆りたてる働きをする偏向要素とを含むラッチング組立体と、
（ｃ）前記第２構造の上に取り付けられるようになっている電気子であって、前記ラッチング組立体と前記電気子は、前記電気子を前記ラッチング組立体に対して受入れ状態に入口通路の中に合体することができるように位置付け可能である、電気子と、
（ｄ）前記着装部材の上に配置された、「オン」条件と「オフ」条件との間で切替え可能な電磁装置であって、こうして前記電機子が受入れ状態にあって前記電磁装置が「オン」条件にあるときには、前記電磁装置は、前記第１力に打ち勝つための十分な磁気力によって前記電気子に磁気的に共に係合する働きをし、これによって前記電機子の受入れ状態から離れる動きは、前記着装部材を前記第２位置へ移動させ、前記掛け金要素を前記捕捉状態へ動かす、電磁装置とを備えた電気機械式ロック。
【請求項１５】
前記ハウジングが基部とカバーとを含み、前記基部は基部壁と側壁とを含み、前記基部と前記カバーは、前記電機子を中に受け入れるように寸法決めされた入口通路を有する内部領域を画定するために互いに固定可能であり、前記ラッチング組立体は前記ハウジングの中に配置されている、請求項１４に記載の電気機械式ロック。
【請求項１６】
前記掛け金要素が各々一対の相反して突き出たトラニオンを含み、前記基部壁と前記カバーは互いに離隔して対向する関係にあり、前記基部壁と前記カバーは各々、前記トラニオンを回転可能に取り付けるシートを備えている、請求項１５に記載の電気機械式ロック。
【請求項１７】
前記電磁装置が前記着装部材に固定され、前記着装部材の一部分が前記電磁装置のためのコアを形成する、請求項１４に記載の電気機械式ロック。
【請求項１８】
前記電磁装置が前記受止め部品に固定されている、請求項１２に記載の電気機械式ロック。
【請求項１９】
各前記掛け金要素が、前記解除状態と捕捉状態との間で前記掛け金要素を動かすように作用するカム表面を有するつめとして形成された、請求項１４に記載の電気機械式ロック。
【請求項２０】
前記カム表面が前記掛け金要素上の傾斜平面部分によって形成され、前記ピンは各々、前記着装部材が前記第１位置と第２位置の間を移動するときに前記掛け金要素が前記解除状態と前記捕捉状態の間を移動できるようにするために傾斜平面に沿って滑るように動作する、請求項１９に記載の電気機械式ロック。
【請求項２１】
各前記掛け金要素が、溝孔開口部を有するつめとして形成され、前記ピンは、それぞれの掛け金要素の前記溝孔開口部に受け入れられ、前記着装部材が前記第１位置と第２位置の間を移動するときに前記掛け金要素を前記解除状態と前記捕捉状態の間で移動させる、請求項１４に記載の電気機械式ロック。
【請求項２２】
電力源に接続されて、選択的に、第１状態にあるときには第１および第２構造が互いに離れるように移動することを可能にし、第２状態にあるときには前記第１および第２構造が互いに離れるように移動することを防ぐようになっている電気機械式施錠システムであって、
（ａ）前記第１構造の上に取り付けられるようになっているラッチング組立体と、
（ｂ）前記第２構造の上に取り付けられるようになっている受止め部品であって、前記ラッチング組立体と前記受止め部品は、前記受止め部品を前記ラッチング組立体に対して受入れ状態で合体することができるように位置付け可能であり、前記ラッチング組立体は、
（１）前記受止め部品と機械的に係合する捕捉状態と、前記受止め部品を掛け外す解除状態との間で可動である、少なくとも１つの掛け金要素と、
（２）第１位置と第２位置の間で可動である着装部材であって、
（ｉ）前記着装部材は、前記第１位置にあるときには前記掛け金要素と係合し、これによって前記掛け金要素は解除状態にあり、
（ｉｉ）前記着装部材は、前記第２位置にあるときには前記掛け金要素が前記捕捉状態に移動できるようにする、着装部材と、
（ｃ）前記着装部材と結合して、前記着装部材を第１力によって前記第１位置へ駆りたてる働きをする偏向部材とを含む受止め部品と、
（ｄ）「オン」条件と「オフ」条件との間で切替え可能な電磁装置であって、こうして前記受止め部品が受入れ状態にあって前記電磁装置が「オン」条件にあるときには、前記電磁装置は、前記第１力に打ち勝つための十分な磁気力によって前記着装部材と前記受止め部品を磁気的に共に係合させる働きをし、これによって前記受止め部品は動いて前記受入れ状態から離れ、結果的に前記掛け金要素は前記捕捉状態へ動く、電磁装置と
（ｅ）「オン」条件と「オフ」条件との間で前記電磁装置を選択的に切り替える働きをするコントローラとを備えた電気機械式施錠システム。
【請求項２３】
前記受止め部品が、前記捕捉状態にあるときには前記掛け金要素によって係合されるように動作するリップ部分を含む電気子プレートとして形成される、請求項２２に記載の電気機械式施錠システム。
【請求項２４】
前記電磁装置が前記着装部材に固定されている、請求項２２に記載の電気機械式施錠システム。
【請求項２５】
前記着装部材の一部分が導電性コイルのためのコアを形成する、請求項２４に記載の電気機械式施錠システム。
【請求項２６】
前記電磁装置が前記受止め部品に固定されている、請求項２２に記載の電気機械式施錠システム。
【請求項２７】
前記掛け金要素が前記捕捉状態の方へ偏向される、請求項２２に記載の電気機械式施錠システム。
【請求項２８】
前記掛け金要素が、前記解除状態と捕捉状態との間で前記掛け金要素を動かすように作用するカム表面を有するつめとして形成された、請求項２７に記載の電気機械式施錠システム。
【請求項２９】
一対の掛け金要素を含み、各前記掛け金要素は、前記受止め部品と機械的に係合する捕捉状態と、前記受止め部品を掛け外す解除状態との間で可動であり、前記着装部材は、前記第１位置にあるときには各前記掛け金要素と係合し、これによって各前記掛け金要素は前記解除状態にあり、前記第２位置にあるときには各前記掛け金要素が前記捕捉状態へ動くことを可能にする、請求項２２に記載の電気機械式施錠システム。
【請求項３０】
各前記掛け金要素が、前記解除状態と捕捉状態との間で前記掛け金要素を動かすように作用するカム表面を有するつめとして形成された、請求項２９に記載の電気機械式施錠システム。
【請求項３１】
前記カム表面が各前記掛け金要素上の傾斜平面部分によって形成され、前記着装部材は、着装部材が前記第１位置と第２位置の間を移動するときに前記掛け金要素が前記解除状態と前記捕捉状態の間を移動できるようにするために傾斜平面に沿って滑る部分を含む、請求項３０に記載の電気機械式施錠システム。
【請求項３２】
前記掛け金要素が、溝孔開口部を有するつめとして形成され、前記着装部材は、前記溝孔開口部にそれぞれ受け入れられるピンを含み、ピンは、前記着装部材が前記第１位置と第２位置の間を移動するときに前記掛け金要素が前記解除状態と前記捕捉状態の間を移動できるように作用する、請求項２９に記載の電気機械式施錠システム。
【請求項３３】
構造における開口部のためのアクセス・ドアであって、
（ａ）開口部に取り付けられるようになっているケーシングと、
（ｂ）前記ケーシングに取り付けるようになっており、開位置と閉位置との間で可動であるドアと、
（ｃ）前記ケーシングと前記ドアの第１に取り付けるようになっているラッチング組立体と、
（ｄ）前記ケーシングと前記ドアの第２に取り付けるようになっている受止め部品であって、前記ラッチング組立体と前記受止め部品は、前記受止め部品が前記ラッチング組立体の中に受入れ状態で合体できるように位置付け可能であり、
（１）前記受止め部品と機械的に係合する捕捉状態と、前記受止め部品を掛け外す解除状態との間で可動である、少なくとも１つの掛け金要素と、
（２）第１位置と第２位置の間で可動である着装部材であって、
（ｉ）前記着装部材は、前記第１位置にあるときには前記掛け金要素と係合し、これによって前記掛け金要素は前記解除状態にあり、
（ｉｉ）前記着装部材は、前記第２位置にあるときには前記掛け金要素が前記捕捉状態に移動できるようにする、着装部材と、
（３）前記着装部材と結合して、前記着装部材を第１力によって前記第１位置へ駆りたてる働きをする偏向部材と、
（ｃ）「オン」条件と「オフ」条件との間で切替え可能な電磁装置であって、こうして前記受止め部品が前記受入れ状態にあって前記電磁装置が「オン」条件にあるときには、前記電磁装置は、前記第１力に打ち勝つための十分な磁気力によって前記着装部材と前記受止め部品を磁気的に共に係合させる働きをし、これによって前記受止め部品は動いて前記受入れ状態から離れ、結果的に前記掛け金要素は前記捕捉状態へ動く、電磁装置とを備えたアクセス・ドア。
【請求項３４】
前記受止め部品が、前記捕捉状態にあるときには前記掛け金要素によって係合されるように動作するリップ部分を含む電気子プレートとして形成される、請求項３３に記載のアクセス・ドア。
【請求項３５】
前記電磁装置が前記着装部材に固定されている、請求項３３に記載のアクセス・ドア。
【請求項３６】
前記着装部材の一部分が導電性コイルのためのコアを形成する、請求項３５に記載のアクセス・ドア。
【請求項３７】
前記電磁装置が前記受止め部品に固定されている、請求項３３に記載のアクセス・ドア。
【請求項３８】
前記掛け金要素が前記捕捉状態の方へ偏向される、請求項３３に記載のアクセス・ドア。
【請求項３９】
前記掛け金要素が、解除状態と前記捕捉状態との間で前記掛け金要素を動かすように作用するカム表面を有するつめとして形成された、請求項３８に記載のアクセス・ドア。
【請求項４０】
一対の掛け金要素を含み、各前記掛け金要素は、前記受止め部品と機械的に係合する捕捉状態と、前記受止め部品を掛け外す解除状態との間で可動であり、前記着装部材は、前記第１位置にあるときには各前記掛け金要素と係合し、これによって各前記掛け金要素は前記解除状態にあり、前記第２位置にあるときには各前記掛け金要素が前記捕捉状態へ動くことを可能にする、請求項３３に記載のアクセス・ドア。
【請求項４１】
各前記掛け金要素が、前記解除状態と捕捉状態との間で前記掛け金要素を動かすように作用するカム表面を有するつめとして形成された、請求項４０に記載のアクセス・ドア。
【請求項４２】
前記カム表面が各前記掛け金要素上の傾斜平面部分によって形成され、前記着装部材は、前記着装部材が前記第１位置と第２位置の間を移動するときに前記掛け金要素が前記解除状態と前記捕捉状態の間を移動できるようにするために傾斜平面に沿って滑る部分を含む、請求項４１に記載のアクセス・ドア。
【請求項４３】
各前記掛け金要素が、溝孔開口部を有するつめとして形成され、前記着装部材は、前記溝孔開口部にそれぞれ受け入れられるピンを含み、ピンは、前記着装部材が前記第１位置と第２位置の間を移動するときに前記掛け金要素が前記解除状態と前記捕捉状態の間を移動できるように作用する、請求項４０に記載のアクセス・ドア。
【請求項４４】
選択的に、第１状態にあるときには第１および第２構造が互いに離れるように移動することを可能にし、第２状態にあるときには前記第１および第２構造が互いに離れるように移動することを防ぐようになっている電気機械式ロックであって、
（ａ）前記第１構造に取り付けられるようになっているラッチング手段と、
（ｂ）前記第２構造に取り付けられるようになっている受止め部品であって、
（１）前記ラッチング手段と前記受止め部品は、前記受止め部品が前記ラッチング手段に受入れ状態で合体されるとき、互いに係合し、
（２）前記ラッチング手段は、前記受止め手段と機械的に係合する捕捉状態と、受止め部品を掛け外す解除状態との間で可動である、受止め部品と、
（ｃ）前記ラッチング手段を第１力によって前記解除状態へ駆りたてる働きをする偏向要素と、
（ｄ）「オン」条件と「オフ」条件との間で切替え可能な電磁手段であって、こうして前記受止め部品が前記受入れ状態にあって前記電磁装置が「オン」条件にあるときには、前記電磁装置は、前記第１力に打ち勝つための十分な磁気力によって前記ラッチング手段と前記受止め手段を磁気的に共に係合させる働きをし、これによって前記受止め手段は動いて前記受入れ状態から離れ、結果的に前記ラッチング手段は前記捕捉状態へ動く、電磁手段とを備えた電気機械式ロック。
【請求項４５】
第２状態にあるときに第１および第２構造を電気機械式に施錠し、第１状態にあるときに前記第１および第２構造が互いに離れることができるようにする方法であって、
（ａ）少なくとも１つの機械的掛け金要素を含むラッチング組立体を前記第１構造に取り付け、
（１）前記掛け金要素は捕捉状態と解除状態の間で移動可能である
ステップと、
（ｂ）前記掛け金要素を第１力によって解除状態へ偏向させるステップと、
（ｃ）受止め部品を前記第２構造に取り付けるステップと、
（ｄ）前記受止め部品とラッチング手段とをともに受入れ状態で合体するステップと、
（ｅ）前記掛け金要素と前記受止め手段とを、「オン」条件と「オフ」条件との間で切替え可能な電磁装置で電気機械的に結合し、
（１）前記電磁装置が「オン」条件にあるときには、前記電磁装置は、前記第１力に打ち勝つための十分な磁気力によって前記ラッチング手段と前記受止め手段を磁気的に共に係合させる働きをし、これによって前記受止め手段は動いて前記受入れ状態から離れ、結果的に前記ラッチング手段は捕捉状態へ動き、
（２）前記電磁装置が「オフ」条件にあるときには、前記ラッチング手段と前記受止め手段は掛け外され、前記掛け金要素は解除状態のままであるステップとを含む方法。
【発明の詳細な説明】
【技術分野】
【０００１】
本発明は、広範には施錠の方法とシステムに関する。さらに詳しくは、本発明は、固定しなければ移動して互いに離れることがある２つの構造を共に固定するために使用することができる、電気機械式装置を対象とする。本発明はまた、２つの構造を電気機械的に共に施錠する方法も対象とする。本発明は、ドアを電気機械的に施錠するときの使用に特に適合している。
【背景技術】
【０００２】
２つの構造を共に施錠可能に固定して、この間の相対的移動を可能にするかまたは防止するための能力は、多くの施錠システムの目標となっている。非常に多くのさまざまな施錠機構が歴史の過程で開発されてきた。これらには、鍵作動式錠、組合せ錠、コード作動式錠などが含まれる。
【０００３】
ドアを閉じた位置で選択的に施錠するために、多くの形式のロックがドアに付属している。容認された人物はロックに対するキーまたは文字組合せを提供されるので、選択的にドアを開錠してドアを開位置に移動させることができる。ある場合には、監視アクセスを可能にするようにドアが施錠される。そこで見張番は入口通路へのドアを監視する。容認された人物がアクセスしようとするときは、見張番は、ロックを非活動化させるスイッチを初期化するので、ドアを開けることができる。このようなシステムは、共同住宅において従業者のアクセスを管理するために事務所においてしばしば採用され、この場合、居住者はスイッチを初期化することができ、スイッチは施錠装置を非活動化して、客の建物への入来およびその他の関連適用を可能にする。
【０００４】
電気的に制御されるロックの１つの形式は、一般的にはドア・ケーシングに取り付けられている電磁石を使用する。強磁性電気子がドアに取り付けられ、ケーシング上の電磁石装置と接触するように位置付けられている。電磁石は、これが電気子用電磁石の磁気吸引によって活動化されると、人がドアを容易に開けることができないほどの強さがある。セキュリティへの関心が強調されているので、より大きな力がこれらの磁気ロックに提供されて、ドアとケーシングを固定することが、ますます望ましくなっている。したがってこれに比例して電磁石の強さは増大している。しかしながら、強さのこのような増大は欠点なしでは済まない。いくつかの技術的進歩が材料について実施されているが、電磁石の強さを増大させると結果的にガウスがますます高くなる磁石を使用することになるのが、通常の場合である。これは当然、磁石が絶えず付勢されて磁石の付勢を絶つことによってアクセスが許される場合には、磁石のコストならびに電力消費を増加させる。この欠点に加えて、電磁石の寸法を増大することは、ドア・ケーシングに確保される組立体の寸法を増大させる。
【０００５】
本発明は、電気機械的施錠システムと、機械的構造と共に電磁石を利用して２つの構造を共に選択的に施錠し終える方法とを提供することによって、これらの欠点と取り組むものである。したがって本発明は、破壊に抗する高い強さを提供することができると同時に電磁装置の寸法を小さくする。
【発明の開示】
【発明が解決しようとする課題】
【０００６】
本発明の目的は、ドアとそのケーシングなどの２つの構造を共に固定するために使用することができ、望み通りに構造を動かして互いに離すことを可能にする、新しい有用な電磁ロックを提供することである。
【０００７】
本発明の別の目的は、例えばセキュリティ・ドアと共に使用することができる新しい有用な電気機械式施錠システム、ならびにこの形式の電気機械式ロックを使用するドアを提供することである。
【０００８】
本発明のさらに別の目的は、第１構造と第２構造とを共に電気機械的に施錠するための新しい有用な方法を提供することである。
【０００９】
本発明のさらに別の目的は、小さな寸法と低いコストで製造することができ、同時に高い施錠強さを維持する電気機械的施錠構造を提供することである。
【課題を解決するための手段】
【００１０】
したがって本発明によれば、電気機械式ロックは、選択的に、第１状態にあるときには第１および第２構造が互いに離れるように移動することを可能にし、第２状態にあるときには前記第１および第２構造が互いに離れるように移動することを防ぐようになっている。広範には電気機械式ロックは、第１構造に取り付けられるようになっているラッチング組立体と、第２構造に取り付けられるようになっているキャッチ部品とを含む。ラッチング組立体とキャッチ構造を、キャッチ部品がラッチング組立体において受入れ状態で格納されるように、位置決めすることができる。
【００１１】
ラッチング組立体は少なくとも１つの掛け金要素を含み、掛け金要素は、これがキャッチ部品と機械的に係合する捕捉状態と、キャッチ部品を掛け外す解除状態との間で可動である。ラッチング組立体は、第１位置と第２位置の間で可動である着装部材を含む。着装部材は、第１位置にあるときには掛け金要素と係合し、これによって掛け金要素は解除状態にある。着装部材は、第２位置にあるときには掛け金要素が捕捉状態に移動できるようにする。ラッチング組立体は、着装部材と結合した偏向要素を含み、これは着装部材を第１力によって第１位置へ駆りたてる働きをする。
【００１２】
本発明はまた、「オン」条件と「オフ」条件との間で切替え可能な電磁装置を含む。この電磁装置は、キャッチ部品が受入れ状態にあるときには、着装部材とキャッチ部品を磁気的に共に係合させる働きをし、電磁装置は「オン」条件にある。この係合は第１力に打ち勝つための十分な磁気力によるもので、これによってキャッチ部品は動いて受入れ状態から離れ、電磁装置は「オン」条件にあり、結果的に掛け金要素は捕捉状態へ動く。
【００１３】
本発明の電磁ロックを、基部とカバーとを含むハウジングの中に取り付けることもできる。カバーが基部に固定されているときには、ハウジングは、キャッチ部品を受け入れるように寸法決めされた入口通路を有する内部を有する。掛け金要素は、ハウジングの内部で回転するように取り付けられる。ある実施例では、掛け金要素は一対の相反する突出トラニオンを有する。ハウジングの基部壁部分とカバーは、各々互いに離隔した関係にあり、基部壁部分とカバーは各々、トラニオンを回転可能に受け入れて取り付けるためのシートを備えている。ハイジングの中に複数の掛け金要素を備えることもできる。
【００１４】
掛け金要素は、さまざまな形を取ることができ、いくつかの異なる方式で操作される。ある例では、掛け金要素は偏向されるかまたは捕捉状態にあってもよい。掛け金要素を、解除状態と捕捉状態との間で掛け金要素を動かすように作用するカム表面を有するつめとして形成することができる。このカム表面を掛け金要素上の傾斜平面部分によって形成することができ、この場合、着装部材は、着装部材が第１位置と第２位置の間を移動するときに掛け金要素が解除状態と捕捉状態の間を移動できるようにするために傾斜平面に沿って滑る部分を含む。掛け金要素を、溝孔開口部を有するつめとして形成することができる。この場合、着装部材は、溝孔開口部に受け入れられる部分を含むことができ、この部分は、着装部材が第１位置と第２位置の間を移動するときに掛け金要素が解除状態と捕捉状態の間を移動できるように作用する。着装部材は第１位置に向かってばね偏向されることが好ましい。
【００１５】
キャッチ部品はさまざまな構造として形成できるが、このような構造の１つは、受入れ状態にあるときには掛け金要素によって係合されるように動作するリップ部分を含む電気子プレートである。電磁装置を、着装部材またはキャッチ部品に固定することができる。着装部材に固定されると、着装部材は、電磁装置の一部を形成するように導電性コイルのためのコアを形成することができる。
【００１６】
本発明の電気機械式ロックは、ある２つの適当な構造が動いて互いに離れることを防止し、また可能にするためには有用であると同時に、特にドアのそのケーシング内における施錠を選択的に可能にするようになっている。したがって本発明は、ある構造における開口部のためのアクセス・ドアも対象とする。この場合、アクセス・ドアは、開口部の中に取り付けるようになっているケーシングと、ケーシングの中に取り付けるようになっておりかつ開状態と閉状態との間で可動であるドアとを含む。こうして本発明は、上に概略説明した電気機械式ロックを含む。
【００１７】
電気機械式ロックは、上に概略説明したように、電力源に接続されるようになっている電気機械式施錠システムの中で使用することもでき、この施錠システムは、第１状態にあるときには１つまたは複数の第１または第２の構造が動いて互いに離れることを選択的に可能にし、第２状態にあるときにはこれらの構造が動いて互いに離れることを防止するようになっている。この施錠システムは、上に概略説明したように１つまたは複数の電気機械式ロック、ならびに「オン」状態と「オフ」状態との間で１つまたは複数の電気機械式ロックを選択的に切り替える働きをするコントローラを含む。
【００１８】
最後に、本発明はまた、第１構造と第２構造とを共に電気機械式に施錠するための方法も含む。この方法は概して、少なくとも１つの機械的掛け金要素を含むラッチング手段を、第１構造に取り付ける第１ステップを含み、この掛け金要素は捕捉状態と解除状態との間で可動である。この方法は、掛け金要素を第１力によって解除状態に偏向させるステップを含む。この方法はまた、キャッチ手段を第２構造に取り付けるステップも含む。この方法は、受入れ状態ではキャッチ手段を掛け金手段と共に格納させること、および「オン」条件と「オフ」条件との間で切替え可能な電磁装置と共に掛け金要素とキャッチ手段とを機械的に結合することを含む。したがって、電気機械式装置が「オン」条件にあるときには、電磁装置は、ラッチング手段とキャッチ手段とを第１力に打ち勝つための十分な磁気力で磁気的に共同係合させ、これによって、キャッチ手段が移動して受入れ状態から離れ、この結果、前記ラッチング手段は捕捉状態に移動することになる。さらに、電磁装置が「オフ」条件にあるときは、ラッチング手段とキャッチ手段は互いに離脱し、前記掛け金要素は解除状態のままになっている。
【００１９】
本発明は、添付の図面を参照して例示的な実施例の詳細な説明を考察すれば、さらに容易に認識され理解されることになろう。
【実施例】
【００２０】
本発明は、２つの構造を選択的に共に施錠するために使用することができる電気機械式ロックを対象とする。したがって、電気機械式ロックは２つの構造を動かして互いに離すことを選択的に可能にするが、選択的にこれらの構造を共に閉条件に留めておくこともある。本発明の電気機械式ロックは、ドアを閉位置に選択的に施錠するが、ドアをそのケーシングに対して開位置に動かすことのできるドア・ロックとして特に適合している。これはスイング・ドアとスライド・ドアの両方を含む。本発明は、電気機械式ロックならびにコントローラを含むシステムを組み込んだドアを含み、このコントローラは、電気機械式ロックの活動化と非活動化を制御するように電源に接続されている。本発明はまた、下記の電気機械式構造に固有のステップによって２つの構造を電気機械式に固定する方法も企画する。
【００２１】
本発明の例示的な第１実施例を図１から１７までに示す。図１を参照すると、電気機械式ロック１０が、ドア１２の形をなす第１構造と、入口通路ドア開口部、内部ドアなどの、建物の構造部分の中に取り付けられた例えばケーシング１４とに取り付けられて示されている。電気機械式ロック１０は、後でさらに綿密に説明するように、ラッチング組立体２０とキャッチ部品９０とを含む。「ラッチング組立体」とは、キャッチ部品を受け入れてこれに係合する働きをし、本開示内容を読めば当業者には必ず理解されるように、複数の構造を含むことができるどのような構造も意味するものである。同様に「キャッチ部品」とは、ラッチング組立体によって受け入れられ、施錠可能にしたがって解除可能な様式で保持されることのできる所望の形状、構造、または構成を有するどのような部品も意味する。ラッチング組立体２０をケーシング１４に取り付けるために、複数のボルト１６が設けられており、ボルト１６は、当技術分野では周知のように、ラッチング組立体２０における孔１８を通って延び、ケーシング１４の縁部の中に取り付けられる。この取付けは、電磁形式の既存の制御されたアクセス・セキュリティ・ロックに類似している。
【００２２】
電磁着装部材がラッチング組立体２０の中に受け入れられ、この組合せを図３、４に示す。これらの図では、コア２２が３つのフィン２４、２５、２６によって形成され、これらのフィンはベース・ウェブ２７によってその片側に沿って接合されている。フィン２５の周りなどの、コア２２の中で電気コイル２８が巻かれている。電気コイル２８は銅巻線であることが好ましく、銅などの通常は金属である適当な導電性巻線によって形成されたコンポーネント・コイル２９、３０などの、１つまたは複数個別コイルで構成できる。コア２２は、当技術分野では周知のどの形式にもすることができ、磁気技術分野では周知のように固体であっても積層されたものであってもよい。固体コアは一般的に透磁性材料によって作られ、積層コアは一般的に透磁性鋼の磁束指示層として構成される。したがってコア２２とコイル２８は、図１に示すように、コントローラ１０２によって切替え可能に操作される電源１００に切替え可能に接続することができる電磁石を形成する。
【００２３】
ラッチング組立体２０用のハウジングは、図５、６にそれぞれ示された基部３２とカバー５０によって形成されている。基部３２は、基部壁３４と、側壁部分３８、３９、４０によって形成された側壁３６とを含む。基部３２の隅部にはブロック４２が位置しており、これらは隅部と一体的に形成されて、ボルト１６用の孔１８を備えている。Ｌ形リブ４４が、基部３２の前部にあるブロック４２の各々から延在している。これらのリブ４４は互いに向かって突出している。一対のシート４６が、基部３２の後部において、それぞれの各ブロック４２の近くで、基部壁３４と側部分４０との上に位置している。各シート４６の中には、円筒形空洞４７が形成されている。一対のポスト４８が、基部壁３４の中央から上向きに突出し、下に説明するようにガイドを提供する。
【００２４】
次に図６を参照すると、カバー５０はカバー・パネル５１を含んでいる。パネル５１は３つの側部において側リブ５２によって囲まれている。ブロック５４がカバー５０の各隅部にあって、上述のボルト１６用の孔１８を含む。一対のシート５６がカバー５０の背縁部に沿って配置され、各シートの中には円筒形空洞５７が形成されている。一対のポスト５８がカバー・パネル５１の上に配置され、これはカバー・パネルの中央にあって、後で述べるようにガイドとして作用する。
【００２５】
本発明のこの第１実施例の代表的な掛け金要素を図７、８に示す。ここでは掛け金要素６０は、基部６２と終端がフック６６となっている細長いアーム６４とを有するつめの形を呈する。一対の相反する突出トラニオン６８は円筒形に外形構成され、基部６２から外向きに延びている。アーム６４はその片側にポスト６５を備え、傾斜平面６９がカム表面を形成し、この目的は後でさらに詳しく説明する。
【００２６】
ここで図９を参照すると、ハウジング３１を形成するための基部３２とカバー５０の組立体が、一対の掛け金要素６０の取付けと共に示されている。図９に見ることができるように、カバー５０が基部３２の上に置かれると、ブロック５４がブロック４２と突合せになり、孔１８が整列する。ここで、望むならば、寸法上の理由でブロック４２を積み重ねることもできることが注目されよう。シート４６の各々はそれぞれのシート５６に対向して、各掛け金要素６０のトラニオン６８を取り付けるためのシート対を形成する。この目的のために、トラニオン６８の各々はそれぞれの円筒形空洞４７、５７に受け入れられ、こうして掛け金要素６０はハウジング３１に対して旋回することができる。この取付けは図１０に示されており、掛け金要素６０の対の傾斜平面６９が対面し、フック部分６６もまた互いに対向して突き出ている。ブロック４２の積み重ね構造を設けることによって、ブロック４２の下部分が掛け金要素６０のアーム６４の旋回移動を妨げないように、適当な寸法がもたらされることがわかる。また図１０においては、ボルト１６はハウジング３１を通って延びていることがわかる。さらに、カバー５０の基部３２への取付けが、後述のようにキャッチ部品を格納するために、ハウジング３１お内部３３への入口通路７０を形成することがわかる。
【００２７】
ラッチング組立体２０の要素の機構を図１１に示す。図１１と共に図３も再び参照すると、コア２２は、フィン２４から延びる一対の相反して突出する取付けアーム７１と、フィン２６から突き出る一対の相反して突出する取付けアーム７３とを有することがわかる。シート７２が各アーム７１に設けられ、シート７４が各アーム７３に設けられている。一対の横断リブ７６がフィン２４の上に形成され、チャネル７７を画定している。同様に、一対の平行リブ７８がフィン２６の上に形成され、その間にチャネル７９を画定している。一組のアーム７１、７３の間にロッド８０が延在し、別の一組のアーム７１、７３の間には別のロッド８０が延在している。
【００２８】
ここで図１１、１２を参照すると、コア２２をその付属する構造と共にここでは着装部材２３と呼ぶこともでき、着装部材はハウジング３１の内部３３の中に取り付けられ、チャネル７７、７９の中にそれぞれ受け入れられたポスト４８、５８（図５、６）によって適所に保持されガイドされる。着装部材２３は、各Ｌ形リブ４４とそれぞれのアーム７１の間に延在する圧縮ばね８２によって第１位置へ偏向され、各ばね８２はそのシート７２の中に受け入れられている。図１１を参照すると、代表的な掛け金要素６０が一対のシート４６、５６の間で回転するために取り付けられ、圧縮ばね８４によって捕捉状態に偏向されていることがわかる。下に説明するように、圧縮ばね８４に沿ったロッド８０が、捕捉と解除の間で掛け金要素６０を動かすように作用する。
【００２９】
次に図１３、１４を参照すると、着装部材２３が第１位置にあるときには（図１３）、ロッド８０は傾斜平面６９を支えて、掛け金要素６０を圧縮ばね８４の力に対抗して回転させることによって、掛け金要素６０を強制的に離す。着装部材２３は、ばね８４よりも大きなばね定数を有する圧縮ばね８２によって、その第１位置へ偏向される。したがって、他の力は全くなく、着装部材は後方にハウジング３１の中へ偏向され、掛け金要素６０は動かされて解除状態になる。しかし、着装部材２３が入口通路７０に向かって前進すると、ロッド８０も同様に前方へ動く。これは、着装部材２３の第２位置への移動に対応する。これが起こると、ロッド８０は傾斜平面６９に沿って移動し、これによって図１４に示すように圧縮ばね８４は掛け金要素６０を動かして捕捉状態にすることができる。
【００３０】
電気機械式ロック１０の動作は、図１５に最もよく示されている受止め部品９０の構造を検討すればさらに明らかになろう。ここでは、受止め部品９０は、基部９２と頂部分９４とを有するＴ形ブロックの形を呈し、頂部分９４から一対のリップ９６が相反して突出している。リップ９６は、後で説明するように、掛け金要素６０のフック部分６６によって係合されるようになったショルダ９７を形成する。受止め部品９０を図１に示すようにドアなどの第２部分に固定するためのねじ９９を受け入れるために、さら孔９８が設けられている。受止め部品９６は、電気機械式ロック技術の分野では周知のように電気子を画定し、受止め部品９０が適当な強磁性材料として形成されていることは理解されよう。この用語「強磁性」は、物質が磁気力に引きつけられることを意味する。さらにまた、ここで使用されるような用語「リップ」は、掛け金要素によって明確に係合されることが可能で、制限なくフック、プロング、ループ、フランジ、ショルダ、カットアウトなどを含んでもよい、いかなる物理的構造も指す。
【００３１】
最後に、図１６、１７に戻って、電気機械式ロック１０の動作を完全に理解すべきである。図１６では、着装部材２３（コア２２、アーム７１、アーム７３、ロッド８０を含む）は圧縮ばね８２によって第１位置へ偏向され、こうして傾斜表面６９に作用するロッド８０は、掛け金要素６０を強制的に離し、これによってばね８４を圧縮することがわかる。この位置で、掛け金要素６０は解除状態にある。受止め部品９０は、入口通路７０を通じて受け入れられた状態で合体されるので、これはラッチング組立体２０の内部に受け入れられる。コイル２８を通って流れる電流が存在しない場合は、ばね８２は掛け金要素６０を解除位置に維持しているので、ドア１２を旋回してケーシング１４から離すことができる。しかし、図１７に示すように、電流がコイル２８内を流れているときは、コア２２とコイル２８は、受止め部品９０を磁気的に保持する電磁石として作用する。ドア１２が動かされるので、この磁気吸引は、着装部材２３をばね８２の力に対抗して第２位置に向かって前方へ動かし、こうしてロッド８０は傾斜平面６９に沿って前方へ移動する。こうして、ばね８４は掛け金要素６０を捕捉状態に偏向させる。この状態では、各掛け金要素６０のフック部分６６は、リップ９６によって形成されて受止め部品９０の受入れ状態からのさらなる移動を機械的に制約するショルダ９７と係合する。
【００３２】
次に、電磁石の強度は、ロッド８０に対して傾斜平面６９に沿って作用する圧縮ばね８４の力と共に作用する磁気力が、ばね８２の圧縮力に打ち勝つように十分であることだけが必要であることは、上記の説明から理解されるはずである。傾斜平面６９の寸法に加えてばね８２、８４のばね定数を正しく選択することによって、これらはすべて通常の熟練した機械技術者の技法の範囲内にあるべきであるが、電磁石の力を代表的な磁気ロックよりも小さくすることができる。これは、既存の制御式アクセス磁気ロックにおいて使用される非常に大きくてかさばる電磁石を排除する。
【００３３】
本発明の範囲を逸脱することなく、広範囲のさまざまな掛け金要素を本発明によって使用できることは理解されよう。さらにまた、広範囲のさまざまな着装部材ならびに広範囲のさまざまな受止め部品も使用することができる。例えば、受止め部品はどのような形状を取ってもよく、その上に、掛け金要素と係合する方法を提供するどのような構造も有することができよう。例えば図２４に示すように、相反して突き出たウイングであるリップ９６の代りに、受止め部品１０３を、正面に開口部１０７を有する中空ハウジング１０５として形成することもできる。したがって、開口部の縁はその周りに周辺「リップ」１０９を提供する。この場合、掛け金要素は受止め部品１０３の内部に延びて、開口部１０７の周辺リップ１０９と係合することができる。
【００３４】
受止めを、掛け金要素によって係合されるアーチング・ループまたはループ部分として構成することもできる。したがって、例えば図２５に示すように、弧状ループ１０６が受止め部品１０４を画定するプレート１０８の上に取り付けられている。ループ１０６は、掛け金要素と係合するための「リップ」を提供する。図２４、２５は受止め部品とその構造の単なる例であり、上記のように、受止め部品のための広範囲のさまざまな構造がラッチング組立体の構造に応じて可能であることを理解すべきである。
【００３５】
他のラッチング組立体の例を挙げるために、またいずれにしても、当業者がこの適用の教示に基づいて開発できるさまざまな構造を制限する意図はなく、代替構造を図１８〜２３に示す。本発明の第２実施例を図１８〜２０に示す。ここではラッチング組立体１２０が示され、ハウジング１３１の中に取り付けられている。着装部材１２３は、電磁石１２５を上に支持するプレート１２４の形状を呈する。ばね１８２がハウジング１３１とプレート１２４とを相互連結し、ある適当な方式でガイドされる。プレート１２４は一対のロッド１８０を備え、ロッド１８０は、掛け金要素１６０のアーム部分１６４に形成されたカム・スロット１６９の中に受け入れられている。この構造では第１実施例における圧縮ばね８４が排除される。
【００３６】
図１８、２０に示すように、ばね１８２は着装部材１２３を第１位置へ偏位させる。この位置では、ロッド１８０がカム作用スロット１６９の中を滑って、掛け金要素１６０を解除位置へ強制する。磁気力がない場合には、受止め部品９０は図１８に示すように受入れ状態に移動することができ、図２０に示すように受入れ状態から出ることもできる。しかし、磁流が電線１８５によって電磁石１２５に供給されると、磁気力はばね１８２の力を克服するために十分なものになる。したがって、図１９に示すように、電磁石１２５は磁気力によって受止め部品９０に接着する。こうして、受止め部品９０は受入れ状態から離れようとするので、ロッド１８０はカム作用スロット１６９の中を滑って、明確に掛け金要素１６０を捕捉状態へ前進させる。このような状態では、掛け金要素１６０のフック部分１６６は受止め部品９０のリップ９６と係合する。
【００３７】
本発明の第３実施例を図２１に示す。ここでは、電磁石２２５が受止め部品２９０の一部として形成されていることがわかる。ヘッド部分２９４が一対のリップ２９６を提供し、受止め部品２９０を、電磁石２２５を形成する電磁コイルのためのコア材料で形成できることが理解されよう。いずれにしても、ラッチング組立体２２０は、図２１に示すようにポスト２２８の上に滑り可能に取り付けられてばね２８２によって偏位される着装部材２２３を含む。掛け金要素２６０はプレート２２４の相反する端部において軸２６１上にピボット旋回式に取り付けられ、受止め部品２９０に接触すると、適当なカム表面によって（図２１に示すように）解除状態に保持される。コイルばね（図示されていないが、図２２、２３において後で説明するものと同様である）が軸２６２の周りに延在し、掛け金部材２６０を捕捉位置へ偏位する。しかしながら、ばね２８２の作用のために、着装部材２２３はカム部材２６０を上述のように解除位置へ強制する。電流が電磁石２２５に加えられると、磁気力は結合プレート２２４と受止め部品２９０に加えられる。したがって、ケーシング１４から離れるドア１２の動きによって、プレート２２４がばね２８２の力を克服するので、この開示内容を読んだ当業者には理解されるように、受止め掛け金要素２６０は捕捉位置へ旋回する。
【００３８】
最後に、図２２、２３に移ると、本発明の第４実施例が示されている。ここで、ラッチング組立体３２０は、ボルト３２２によって第１構造３１４に取り付けられたプレート２４の形をなし、ボルト３２２は、プレートの中に形成された空洞３４２の中に受け入れられたベース・ブロック３４０を有する。ばね３８２は、プレート３２０を構造３１４の近くの第１位置へ偏位させる。受止め３９０は第２構造３１２に取り付けられて、ラッチング組立体３２０における受入れ位置にあるときにはプレート３２４と突合せになる。プレート３２４はこれに付属する電磁石３２５を有し、一対の掛け金要素３６０が軸３６１に回転可能にジャーナル軸受けで取り付けられ、コイルばね３８４によって捕捉状態へ偏位される。
【００３９】
図２３に示すように、電流が電磁石３２５に供給されると、受止め部品３９０がプレート３２４に磁気的に引き寄せられる。受止め部品３９０の構造部片３１４から離れる動きは、圧縮ばね３８２の力に対抗してプレート３２４を動かして部片３１４から離す。これが起ると、ばね３８４は図２３に示すように掛け金要素３６０を回転させて捕捉状態にするように作用する。しかしながら、電磁力の解除によって、ばね３８２によって提供される第１力は、構造部片３１４に向かってプレート３２４を引くように、ばね３８４の力を克服するために十分となる。これが起ると、掛け金要素３６０の周辺上のカム作用表面３６９は、表面３１５に対して作用し、掛け金要素３６０を図２２に示す解除位置へ回転させる。ここでもまた、電磁石を受止め部品３９０の一部にすることができ、掛け金要素３６０のための取付け部を、図２１の実施例におけるように磁石に吸引されるプレートにすることもできる。
【００４０】
上記の内容から、本発明は、第１および第２構造が第２状態にあるときには互いに離れることができ、第１状態にあるときには互いに離れることが防止されるように、これらの構造を電気機械式に共に施錠する方法を含むことが理解されるはずである。この方法は、どのような適当な動作順序でも取られる上述の構造に固有のステップのすべてを含む。しかしながら広くは、本発明の普遍的な方法は、捕捉状態と解除状態との間で移動可能な少なくとも１つの掛け金要素を含むラッチング手段を、第１構造の上に取り付けるステップを含む。この方法は、掛け金要素を第１力によって解除状態へ偏向するステップを含む。この方法は、受止め手段を第２構造の上に取り付けることを含む。電気機械式に施錠するための方法は、受止め手段とラッチング手段とを共に受入れ状態に合体することを含む。この方法は、受止め手段とラッチング手段とを、「オン」条件と「オフ」条件との間で切替え可能な電磁装置によって電気機械式に結合するステップを含む。このステップは、電磁装置が「オン」条件にあるときには電磁装置が第１力を克服するために十分な磁気力によってラッチング手段と受止め手段とを共に係合させ、これによって受入れ状態から離れる受止め手段の動きの結果として、ラッチング手段が捕捉状態へ動くようにして完了される。代替案として、電磁装置が「オフ」条件にあるときに、ラッチング手段と受止め手段は離脱することができ、掛け金要素は解除状態のままである。
【００４１】
したがって本発明を、本発明の例示的実施例を対象としてある程度具体的に説明した。本明細書に含まれる本発明の概念から逸脱することなく、本発明の例示的実施例に対して改訂および変更を行うことができる。
【図面の簡単な説明】
【００４２】
【図１】電源とコントローラが図式的に示されている、第１および第２構造に固定された本発明の例示的な第１実施例による電気機械式ロックの斜視図である。
【図２】本発明の第１実施例によるラッチング組立体を含むハウジングの斜視図である。
【図３】本発明の第１実施例による着装部材と電磁装置の斜視図である。
【図４】図３の線４−４に沿って取った断面図である。
【図５】図２のハウジングを形成するために使用される基部の平面図である。
【図６】図２のハウジングを形成するために使用されるカバーの内部を示す平面図である。
【図７】本発明の例示的な第１実施例によるラッチング要素の斜視図である。
【図８】図７のラッチング要素の縦側面図である。
【図９】図６のカバーを有する図５の基部の組立体を、図７、８に示すような一対の掛け金要素と共に示す分解正面図である。
【図１０】組み立てたときの、図９の線１０−１０に沿って取った端部断面図である。
【図１１】図５の基部に受け入れられた図３の着装部材と電磁装置を、図７に示すような１つの掛け金要素と共に示す斜視図である。
【図１２】図５の基部に取り付けられた図３の着装部材と電磁コイルの実装を示す上面図である。
【図１３】図５の基部に受け入れられて解除状態で示された図７の一対のラッチング要素を示す上面図である。
【図１４】図１３に類似しているが、捕捉状態にある掛け金要素の上面図である。
【図１５】本発明の例示的な実施例によるキャッチ要素の斜視図である。
【図１６】ドア・ケーシングなどの第１構造の上に取り付けられたラッチング組立体と、ドアなどの第２構造の上に取り付けられたキャッチ部品とを示し、キャッチ部品はラッチング組立体の中に受入れ状態で格納され、掛け金要素は解除位置にある上面図である。
【図１７】電磁装置が「オン」条件に置かれ、第２構造はわずかに移動して第１構造から離れ、掛け金要素の捕捉状態への移動を示し、これによってキャッチ部品の受入れ状態からの離脱を防止する、図１６の構造を示す上面図である。
【図１８】解除状態にある本発明の第２実施例を示す、図１６に類似の断面上面図である。
【図１９】図１８に類似しているが、ラッチング組立体においてキャッチ部品が受入れ状態から外れることを防止するために捕捉状態にある掛け金要素を示す、平面図である。
【図２０】図１９に類似しているが、掛け金要素は解除状態で示されて、キャッチ部品がラッチング組立体から外されるように電磁装置が「オフ」条件に置かれているときの、電気機械式ロックの作用を示す上面図である。
【図２１】電磁石がキャッチ部品に付属している、本発明のさらに別の代替実施例を示す平面図である。
【図２２】掛け金部品が解除状態で示されている、本発明のさらに別の実施例を図示する上面図である。
【図２３】図２２に類似しているが、捕捉状態に移動する掛け金要素を示す平面図である。
【図２４】代替キャッチ部品の斜視図である。
【図２５】さらに別の代替キャッチ部品の斜視図である。
【図１】
2004533565.tif 000003
【図２】
2004533565.tif 000004
【図３】
2004533565.tif 000005
【図４】
2004533565.tif 000006
【図５】
2004533565.tif 000007
【図６】
2004533565.tif 000008
【図７】
2004533565.tif 000009
【図８】
2004533565.tif 000010
【図９】
2004533565.tif 000011
【図１０】
2004533565.tif 000012
【図１１】
2004533565.tif 000013
【図１２】
2004533565.tif 000014
【図１３】
2004533565.tif 000015
【図１４】
2004533565.tif 000016
【図１５】
2004533565.tif 000017
【図１６】
2004533565.tif 000018
【図１７】
2004533565.tif 000019
【図１８】
2004533565.tif 000020
【図１９】
2004533565.tif 000021
【図２０】
2004533565.tif 000022
【図２１】
2004533565.tif 000023
【図２２】
2004533565.tif 000024
【図２３】
2004533565.tif 000025
【図２４】
2004533565.tif 000026
【図２５】
2004533565.tif 000027
【国際公開パンフレット】
2004533565.tif 000028
2004533565.tif 000029
2004533565.tif 000030
2004533565.tif 000031
2004533565.tif 000032
2004533565.tif 000033
2004533565.tif 000034
2004533565.tif 000035
2004533565.tif 000036
2004533565.tif 000037
2004533565.tif 000038
2004533565.tif 000039
2004533565.tif 000040
2004533565.tif 000041
2004533565.tif 000042
2004533565.tif 000043
2004533565.tif 000044
2004533565.tif 000045
2004533565.tif 000046
2004533565.tif 000047
2004533565.tif 000048
2004533565.tif 000049
2004533565.tif 000050
2004533565.tif 000051
2004533565.tif 000052
2004533565.tif 000053
2004533565.tif 000054
2004533565.tif 000055
2004533565.tif 000056
2004533565.tif 000057
2004533565.tif 000058
2004533565.tif 000059
2004533565.tif 000060
2004533565.tif 000061
2004533565.tif 000062
2004533565.tif 000063
2004533565.tif 000064
2004533565.tif 000065
【国際調査報告】
2004533565.tif 000066